(57)【要約】【課題】読影効率を向上させることができる医用情報表示装置を提供する。【解決手段】実施形態に係る医用情報表示装置は、複数の医用情報を表示する表示部と、検査情報を取得する検査情報取得部２１と、その検査情報取得部２１により取得された検査情報から起動対象のアプリケーション群を決定する起動アプリ決定部２２と、その起動アプリ決定部２２により決定された起動対象のアプリケーション群により個別に生成された複数の医用情報を表示部により表示するときの表示配置を決定する表示配置決定部２３と、その表示配置決定部２３により決定された表示配置を用いて、起動対象のアプリケーション群により個別に生成された複数の医用情報の配置を行うアプリ配置部２４とを備える。【選択図】図２
2015159861.tif 000002
【特許請求の範囲】
【請求項１】
複数の医用情報を表示する表示部と、
検査情報を取得する検査情報取得部と、
前記検査情報取得部により取得された検査情報から起動対象のアプリケーション群を決定する起動アプリ決定部と、
前記起動アプリ決定部により決定された起動対象のアプリケーション群により個別に生成された複数の医用情報を前記表示部により表示するときの表示配置を決定する表示配置決定部と、
前記表示配置決定部により決定された前記表示配置を用いて、前記起動対象のアプリケーション群により個別に生成された複数の医用情報の配置を行うアプリ配置部と、
を備えることを特徴とする医用情報表示装置。
【請求項２】
前記アプリ配置部は、前記アプリケーション群に前記表示配置に従った起動位置を指定して起動を指示するアプリ起動部を有することを特徴とする請求項１記載の医用情報表示装置。
【請求項３】
前記アプリ配置部は、
前記起動アプリ決定部により決定された起動対象のアプリケーション群の個々の起動状態を取得するアプリ状態監視部と、
前記表示配置決定部により決定された前記表示配置と前記アプリ状態監視部により取得された前記起動対象のアプリケーション群の個々の起動状態とを用いて、前記起動対象のアプリケーション群により個別に生成された複数の医用情報の配置を制御するアプリ配置制御部と、
を有することを特徴とする請求項１又は２記載の医用情報表示装置。
【発明の詳細な説明】
【技術分野】
【０００１】
本発明の実施形態は、医用情報表示装置に関する。
【背景技術】
【０００２】
近年、技術の進展に伴って、医療機関内にも各種電子機器を利用した医用画像診断装置やシステムが導入されている。医用画像診断装置は、被検体内部の情報を収集し、この収集された情報に基づいて被検体内部を画像化して医用画像を生成する装置である。この医用画像診断装置としては、例えば、Ｘ線ＣＴ装置（computed tomography：コンピュータ断層撮影装置）や磁気共鳴診断装置（ＭＲＩ：magnetic resonance imaging）などが挙げられる。
【０００３】
医療におけるシステムは多様化してきており、病院内で放射線技師や読影医などのユーザ（利用者）は、Ｘ線ＣＴ装置や磁気共鳴診断装置などにより撮影された三次元画像を読影して患者の病態を診断する際、複数のモニタ上で、２Ｄビューア、あるいは、ボリュームレンダリングや三次元のＭＩＰ（最大値投影法）処理を行う３Ｄビューア、特定の部位や特定の疾患に対する解析を目的とする臨床解析アプリケーションなどの複数のシステムのアプリケーションを用いて業務を行っている。
【０００４】
このとき、ユーザは観察の目的によって使用するアプリケーションさらにモニタ上の医用画像やレポートの配置を変え、それらの医用画像やレポートなどを比較しながら読影を行うことがある。複数のアプリケーションを利用して読影を行う際には、ユーザはモダリティや部位、読影目的に応じて複数のアプリケーションを起動し、マウスなどの入力デバイスを操作して、各アプリケーションにより個別に生成された複数の医用情報（例えば、医用画像やレポートなど）を見やすい最適な位置に手動で配置してから読影を行っている。
【先行技術文献】
【特許文献】
【０００５】
【特許文献１】特開平０４−４９９４５号公報
【発明の概要】
【発明が解決しようとする課題】
【０００６】
しかしながら、前述のようにユーザが手動で各医用情報の表示配置を変更する場合には、その変更に時間を要し、読影効率が低下してしまう。例えば、ユーザが読影開始時にアプリケーションを複数同時に起動させるような場合、アプリケーションごとに起動時間が異なるので、各アプリケーションにより個別に生成された個々の医用情報を最適な位置に配置するためには、ユーザは全てのアプリケーションを起動させ、それらのアプリケーションにより個別に生成された個々の医用情報を特定してから配置する必要がある。このため、ユーザは全てのアプリケーションが起動し終えさらに各医用情報の配置変更を終えるまで読影を行うことができないため、読影効率が著しく低下してしまう。
【０００７】
本発明が解決しようとする課題は、読影効率を向上させることができる医用情報表示装置を提供することである。
【課題を解決するための手段】
【０００８】
実施形態に係る医用情報表示装置は、複数の医用情報を表示する表示部と、検査情報を取得する検査情報取得部と、検査情報取得部により取得された検査情報から起動対象のアプリケーション群を決定する起動アプリ決定部と、起動アプリ決定部により決定された起動対象のアプリケーション群により個別に生成された複数の医用情報を表示部により表示するときの表示配置を決定する表示配置決定部と、表示配置決定部により決定された表示配置を用いて、起動対象のアプリケーション群により個別に生成された複数の医用情報の配置を行うアプリ配置部とを備える。
【図面の簡単な説明】
【０００９】
【図１】実施形態に係る医用情報表示装置の概略構成を示す図である。
【図２】実施形態に係る医用情報表示装置が備える制御部の概略構成を示すブロック図である。
【図３】実施形態に係る医用情報表示を説明するための説明図である。
【発明を実施するための形態】
【００１０】
実施の一形態について図面を参照して説明する。
【００１１】
図１に示すように、実施形態に係る医用情報表示装置１は、医用画像やレポートなどの各種の医用情報をそれぞれ表示する複数の表示部２と、ユーザ（利用者）により入力操作される入力部３と、各部を制御する制御部４とを備えている。この医用情報表示装置１が病院内で放射線技師や読影医などのユーザにより利用される端末となる。
【００１２】
各表示部２は、ＣＴ画像やＭＲ画像などの各種の医用画像さらに読影レポートなどのレポート情報を表示する表示装置である。これらの表示部２としては、例えば、液晶ディスプレイや有機ＥＬ（electroluminescence）ディスプレイ、ＣＲＴ（Cathode Ray Tube）ディスプレイなどを用いることが可能である。なお、図１では、表示部２が三台横に並べられているが、その台数や設置位置はこれに限られるものではない。
【００１３】
入力部３は、放射線技師や読影医などの操作者からの入力操作を受け付ける操作部である。この入力部３としては、例えば、キーボードやマウス、タッチパネルなどの入力デバイスを用いることが可能である。
【００１４】
制御部４は、例えば、ＣＰＵ（Central Processing Unit）やＲＯＭ（Read Only Memory）、ＲＡＭ（Random Access Memory）などにより構成されており、入力部３からの入力信号に基づいてプログラムなどを読み出して実行し、各部の制御を行う。例えば、制御部４は、所定の処理を行うことによって得られたデータやアプリケーション（以下、適宜アプリと略す）により得られたデータなどの各種情報を表示部２により表示する制御を行う。
【００１５】
なお、図１では、一例として、アプリケーションＡにより生成された医用情報が図中の左側の表示部２により表示され、二つのアプリケーションＢ及びＣにより個別に生成された個々の医用情報が図中の中央の表示部２により表示され、アプリケーションＤにより生成された医用情報が図中の右側の表示部２により表示される。このような表示配置はあらかじめ設定されており、その所定の表示配置に基づいて個々の医用情報（例えば、医用画像やレポートなど）が複数の表示部２により表示される。
【００１６】
次に、前述の制御部４について詳しく説明する。
【００１７】
図２に示すように、制御部４は、検査情報を格納して管理する検査情報データベース部１１と、同時に起動する起動対象のアプリケーションを格納して管理する同時起動アプリデータベース部１２と、アプリケーションにより生成された医用画像やレポートなどの医用情報を表示部２に表示するときの表示配置を決定するための配置情報を格納して管理する配置情報データベース部１３と、複数のアプリ（アプリ群）を記憶するアプリ群記憶部１４とを備えている。
【００１８】
さらに、制御部４は、検査情報データベース部１１から検査情報を取得する検査情報取得部２１と、同時起動アプリデータベース部１２を用いて起動対象のアプリケーションを決定する起動アプリ決定部２２と、配置情報データベース部１３を用いて医用情報の最適な表示配置を決定する表示配置決定部２３と、アプリケーションの起動及び医用情報の配置を行うアプリ配置部２４とを備えている。このアプリ配置部２４は、起動対象のアプリケーションを起動させるアプリ起動部２４ａと、アプリケーションの起動状態を管理するアプリ状態管理部２４ｂと、アプリケーションの起動状態を監視するアプリ状態監視部２４ｃと、決定された表示配置に従って医用情報の配置を制御するアプリ配置制御部２４ｄとを備えている。
【００１９】
検査情報取得部２１は、実施した検査を一覧するような外部アプリケーションから、ユーザによる入力部３に対する入力操作（例えば、検査の選択）に応じて、ユーザを特定するユーザ特定情報や読影目的を特定する読影目的特定情報、検査を特定する検査特定情報などを受け取る。また、検査情報取得部２１は、それらの各情報を用いて検査情報データベース部１１から、選択した検査に対応するモダリティや部位の情報を取得し、端末のシステム情報から端末環境情報（端末のＩＰやディスプレイの数など）を取得する。その後、検査情報取得部２１は、ユーザ特定情報、読影目的特定情報、モダリティ情報、部位情報及び端末環境情報を起動アプリ決定部２２及び表示配置決定部２３に送信する。
【００２０】
起動アプリ決定部２２は、検査情報取得部２１より提供されたユーザ特定情報、読影目的特定情報、モダリティ情報、部位情報及び端末環境情報を用いて同時起動アプリデータベース部１２を検索し、「起動するアプリ群」を取得する。その後、起動アプリ決定部２２は、取得した「起動するアプリ群」を表示配置決定部２３及びアプリ起動部２４ａに送信する。
【００２１】
表示配置決定部２３は、検査情報取得部２１からユーザ特定情報、読影目的特定情報、モダリティ情報、部位情報及び端末環境情報を得る。また、表示配置決定部２３は、アプリ状態管理部２４ｂ（詳しくは、後述する）から「現在起動しているアプリ群」を取得し、さらに、起動アプリ決定部２２から「起動するアプリ群」を取得し、それらの和を取ることで、「期待されるアプリ群」を得る。その後、表示配置決定部２３は、ユーザ特定情報、読影目的特定情報、モダリティ情報及び部位情報、さらに、「期待されるアプリ群」を用いて、配置情報データベース部１３を検索し、「期待されるアプリ群」のそれぞれのアプリケーションに対して医用情報の表示位置を決定する（医用情報の表示配置の決定）。ここで、医用情報の表示位置（表示配置）とは、アプリケーションウィンドウの開始点座標やウィンドウの縦・横の長さ、ウィンドウの重なりの順番などを意味する。なお、配置情報データベース部１３には、配置情報が前述の各情報と関連付けられてあらかじめ例えばテンプレートとして保存されている。
【００２２】
アプリ起動部２４ａは、起動アプリ決定部２２から「起動するアプリ群」を取得し、表示配置決定部２３からアプリケーションごとの医用情報の最適な表示位置（すなわち表示配置）を取得する。その後、アプリ起動部２４ａは、取得したアプリケーション群の一覧に含まれるアプリケーションに対して起動処理を行う。このとき、アプリケーションが「起動時に表示位置を指定して起動可能なアプリケーション」である場合には、そのアプリケーションに対して、表示配置決定部２３から取得した医用情報の最適な表示位置を指定して起動を指示する。一方、アプリケーションが「起動時に表示位置を指定して起動可能なアプリケーション」でない場合には、そのままアプリケーションの起動を指示する。また、アプリ起動部２４ａは、アプリ状態管理部２４ｂに対して、アプリケーションを起動したという起動情報と、起動したアプリケーションを特定する起動アプリケーション特定情報を通知する。ここで、「起動時に表示位置を指定して起動可能なアプリケーション」については、アプリケーション自体が起動位置を問い合わせて最適な表示位置に起動するような実装も可能である。
【００２３】
アプリ状態管理部２４ｂは、アプリケーションの起動状態を保存及び更新し、問合せに応じて返却する。起動していないアプリケーションは「未起動」状態として管理される。アプリ起動部２４ａからアプリケーションの起動が通知された場合には、「未起動」状態のアプリケーションに限り、その状態を「起動待ち」状態に遷移させる。この「起動待ち」状態とはアプリケーションが起動処理中で、まだアプリ状態監視部２４ｃに起動が検出されていない状態である。アプリ状態監視部２４ｃからアプリケーションの起動が通知された場合には、その状態を「起動中」状態に遷移させ、アプリ状態監視部２４ｃからアプリケーションの終了が通知された場合には、その状態を「未起動」状態に遷移させる。また、表示配置決定部２３から起動中のアプリケーションについて問合せがあった場合には、起動中のアプリケーション群を返却する。ここで、「起動待ち」状態のアプリケーションについては「起動中」状態として返却する。
【００２４】
アプリ状態監視部２４ｃは、画面に表示されているウィンドウ、すなわち医用情報の一覧を常時参照することで、アプリケーションの起動状態を監視する。また、アプリケーションの起動あるいは終了を検出した場合には、アプリ状態管理部２４ｂ及びアプリ配置制御部２４ｄにアプリケーションを特定するアプリケーション特定情報と、そのアプリケーションの起動あるいは終了を通知する。
【００２５】
アプリ配置制御部２４ｄは、表示配置決定部２３によって決定された最適な表示配置を取得する。また、アプリ配置制御部２４ｄは、アプリ状態監視部２４ｃからアプリケーションの起動の通知を取得する。起動の通知を取得した際、起動したアプリケーションが「起動時に表示位置を指定して起動可能なアプリケーション」でない場合には、起動したアプリケーションによる医用情報を最適な表示位置に強制的に配置する。
【００２６】
なお、前述の検査情報取得部２１や起動アプリ決定部２２、表示配置決定部２３、アプリ配置部２４（アプリ起動部２４ａ、アプリ状態管理部２４ｂ、アプリ状態監視部２４ｃ及びアプリ配置制御部２４ｄ）は、電気回路などのハードウエアにより構成されても良く、また、各機能を実行するプログラムなどのソフトウエアにより構成されても良く、あるいは、それらの両方の組合せにより構成されても良い。
【００２７】
このような構成の医用情報表示装置１において、例えば、複数のアプリケーションＥ、Ｆ及びＧを同時に起動させ、それらのアプリケーションＥ、Ｆ及びＧにより個別に生成された個々の医用画像を表示部２の表示画面上に表示させる場合について説明する。
【００２８】
各アプリケーションＥ、Ｆ及びＧは、検査情報取得部２１より提供されたユーザ特定情報、読影目的特定情報、モダリティ情報、部位情報及び端末環境情報が用いられ、起動アプリ決定部２２により同時起動アプリデータベース部１２が検索され、「起動するアプリ群」として決定されている。ここで、アプリケーションＧの起動に要する時間である起動時間は他のアプリケーションＥ及びＦよりも長くなっている。
【００２９】
このため、図３に示すように、各アプリケーションＥ及びＦにより個別に生成された個々の医用画像は、表示配置決定部２３により決定された表示配置に従って表示部２の表示画面上に表示されており、アプリケーションＧにより生成される医用画像は表示部２の表示画面上にまだ表示されていない状態が発生している。なお、前述の所定の表示配置、すなわち、アプリケーションウィンドウの開始点座標、ウィンドウの縦・横の長さは、三つのアプリケーションＥ、Ｆ及びＧの各アプリケーションウィンドウが重ならず、表示部２の表示画面に対して均等のサイズで配置されるように決定されている。
【００３０】
このとき、各アプリケーションＥ及びＦにより個別に生成された個々の医用画像は、前述の所定の表示配置に従って表示されるので、ユーザはアプリケーションＧの起動及び表示が完了するまで読影の開始を待っている必要がなく、表示部２により表示されている各医用画像の読影を開始することが可能となる。その後、アプリケーションＧにより生成された医用画像が表示部２の表示画面上に表示されても、その医用画像は前述の表示配置に従って表示されるので、各医用画像のレイアウトは変更されず、例えば互いの医用画像が重なるようなことはなく、各医用画像の読影を良好に継続することができる。
【００３１】
一方、前述の表示配置があらかじめ決定されていない場合には、各アプリケーションＥ及びＦにより生成された個々の医用画像は表示部２の表示画面上にアプリケーションごとの起動位置（起動時の表示位置）に従って表示され、例えば、各医用画像が重なってしまったり、あるいは、整列していない状態になってしまったりする。この場合には、ユーザが手動で各医用情報の表示配置を最適な状態に変更する必要が生じるため、その変更に時間を要することになる。さらに、アプリケーションＧにより得られた医用画像が表示されるときにも、その医用画像は表示部２の表示画面上にアプリケーションＧの起動位置に従って表示されるため、やはり、各医用画像が重なってしまったり、あるいは、整列していない状態になってしまったりする。この場合にも、ユーザが手動で各医用情報の表示配置を最適な状態に変更する必要が生じるため、その変更に時間を要することになる。
【００３２】
ここで、アプリケーションが「起動時に表示位置を指定して起動可能なアプリケーション」である場合には、アプリ起動部２４ａがそのアプリケーションに前述の表示配置に従った起動位置を指定して起動を指示する。一方、アプリケーションが「起動時に表示位置を指定して起動可能なアプリケーション」でない場合には、アプリ配置制御部２４ｄがそのアプリケーションの起動位置に従って表示された医用画像を強制的に前述の表示配置に従った表示位置に移動させる制御を行う（表示位置の強制変更）。
【００３３】
このように医用情報表示装置１では、ユーザが求めるアプリケーション群とそのアプリケーション群により構成される最終的な表示配置をアプリケーション起動前に決定し、表示位置を指定して起動可能なアプリケーションに対して表示位置を指定して起動を指示し、また、表示位置を指定して起動不可能なアプリケーションに対して起動直後に最適な表示位置に医用情報を配置する制御を行う。これにより、未起動のアプリケーションの起動完了やユーザの手動による各医用情報の表示配置の変更完了を待たずに、起動したアプリケーションの利用を開始することが可能となるので、読影開始までの時間が減少することになる。また、ユーザは手動で各医用情報の表示配置を変更する必要も無くなるので、ユーザの利便性が向上することになる。
【００３４】
以上説明したように、実施形態によれば、検査情報から起動対象のアプリケーション群を決定し、その決定した起動対象のアプリケーション群により個別に生成された複数の医用情報（例えば、医用画像やレポートなど）を表示部２により表示するときの表示配置を決定し、その決定した表示配置を用いて、起動対象のアプリケーション群により個別に生成された複数の医用情報の配置を行う。これにより、未起動のアプリケーションの起動完了やユーザの手動による各医用情報の表示配置の変更完了を待たずに、起動したアプリケーションの利用を開始することが可能となるので、読影開始までの時間を短縮し、読影効率を向上させることができる。さらに、ユーザは手動で各医用情報の表示配置を変更する必要も無くなるので、ユーザの利便性を向上させることができる。
【００３５】
また、アプリケーション群に前述の表示配置に従った起動位置を指定して起動を指示することによって、アプリケーションが「起動時に表示位置を指定して起動可能なアプリケーション」である場合には、前述の表示配置に従った医用情報の配置を確実にさらに容易に実現することができる。
【００３６】
また、前述の表示配置と起動対象のアプリケーション群の個々の起動状態とを用いて、起動対象のアプリケーション群により個別に生成された複数の医用情報の配置を制御することによって、アプリケーションが「起動時に表示位置を指定して起動可能なアプリケーション」でない場合でも、前述の表示配置に従った医用情報の配置を確実にさらに容易に実現することができる。
【００３７】
ここで、医療機関内に構築されるシステムとしては、例えば、病院情報管理システム（ＨＩＳ：Hospital Information System）や放射線部門情報管理システム（ＲＩＳ：Radiological Information System）、医用画像管理システム（ＰＡＣＳ：Picture Archiving Communication System）、検査システムといったシステムが挙げられる。これら医療機関に構築されるシステムに関しては、導入する医療機関の規模にもよるが、医療機関内の全てのシステムが１社のシステムで運用されることは少ない。これは、システムを開発する会社（ベンダ）それぞれに得意な分野があり、また、医療情報を生成するアプリケーションにしても、Ｘ線画像の解析に強いアプリケーションやＸ線ＣＴ装置で得られたボリュームデータから３Ｄ画像を生成するのに適したアプリケーションなど、様々なアプリケーションが導入されるためである。
【００３８】
前述のような医療機関内に複数のシステムや複数のアプリケーションが導入されると、それらのシステムやアプリケーションはバラバラに混在することになるため、ユーザ（例えば、医師や技師など）の使い勝手は非常に悪い。特に、アプリケーションを利用するユーザの好みや嗜好、能力などに合わせて、各種のアプリケーションが導入されることになるため、アプリケーションを提供するシステムやベンダなどは同一ではなくバラバラになることが当たり前である。画像読影や画像参照などを行う作業においても、システムが異なる複数のアプリケーションが使用され、画像診断や画像観察などが行われている。このようにシステムやベンダが異なる複数のアプリケーション（起動時間の相違が著しい）を用いている場合でも、前述の実施形態によれば、未起動のアプリケーションの起動完了やユーザの手動による各医用情報の表示配置の変更完了を待たずに、起動したアプリケーションの利用を開始することが可能となるので、読影開始までの時間を短縮し、読影効率を向上させることができる。
【００３９】
例えば、テナント型医療情報システムなどのシステムでは、システム運営者が「大家」という位置付けにあり、利用対象のアプリケーションを提供するアプリ提供者がいわば「店子」の位置付けとなる。このため、大家が設けるテナント型医療情報システム内には、店子が各種のアプリケーションを提供しており、様々なアプリ提供者（様々なベンダ）が存在することになる。ユーザは自分が要求する医用情報を取得するに当たって、テナントであるアプリ提供者が提供する各種アプリケーションを利用する。このとき、アプリケーション間、特にアプリ提供者が異なるアプリケーション間では、起動時間の相違が著しいのが現状である。このような場合でも、前述の実施形態によれば、未起動のアプリケーションの起動完了やユーザの手動による各医用情報の表示配置の変更完了を待たずに、起動したアプリケーションの利用を開始することが可能となるので、読影開始までの時間を短縮し、読影効率を向上させることができる。
【００４０】
以上、本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００４１】
１      医用情報表示装置
２      表示部
３      入力部
２１    検査情報取得部
２２    起動アプリ決定部
２３    表示配置決定部
２４    アプリ配置部
２４ａ  アプリ起動部
２４ｄ  アプリ配置制御部
【図１】
2015159861.tif 000003
【図２】
2015159861.tif 000004
【図３】
2015159861.tif 000005